(57)【特許請求の範囲】
【請求項１】
剃毛時に通常、皮膚面に接触する表面に回転自在に配設された中空部を有するローラーと、前記中空部に貫通する前記ローラー周面に形成された複数の孔と、前記中空部に収容されたスムーサーとからなるスムーサー付剃刀。
【請求項２】
剃毛時に通常、皮膚面に接触する表面に回転自在に配設された中空部を有するローラーと、前記ローラー周面に散在して前記中空部に貫通する孔と、前記中空部に収容されたスムーサーとからなり、前記孔に進入する水液に接触する前記スムーサーが外周面から溶解するスムーサー付剃刀。
【請求項３】
波状の上・下縁を互いに接合して前記ローラーを形成してなる請求項１又は請求項２に記載のスムーサー付剃刀。
【請求項４】
剃刀本体に形成された対向する一対の受部と、刃体の刃縁に並行して前記一対の受部間に配置されたローラーと、前記受け部に対向する凸部とからなり、前記受部と前記凸部が前記ローラー周面とそれぞれ部分的に当接し、前記ローラーを回転自在に支持する請求項１又は請求項２に記載のスムーサー付剃刀。
【請求項５】
前記受部が前記ローラーを上方位置で受ける一方、前記凸部が前記ローラーを下方位置から支持してなる請求項４記載のスムーサー付剃刀。
【請求項６】
前記凸部の先端を面状、線状又は点状に形成し、前記ローラー周面と面状、線状又は点状に当接して前記ローラーを支持する請求項５に記載のスムーサー付き剃刀。
【請求項７】
剃刀本体の表面側の後部において前側部と両側部で区画された長手方向の切欠部と、前記切欠部に配置された回転自在のローラーとからなり、前記ローラーと前記前側部との間にクリアランスを設ける一方、前記ローラーと近接して対向する前側部の角部又は隅部を面取りした請求項１又は請求項２に記載のスムーサー付剃刀。
【発明の詳細な説明】
【０００１】
【技術の属する技術分野】
本発明は剃刀、特にスムーサー付剃刀にかんする。
【０００２】
【従来技術】
従来、剃毛時の皮膚と剃刀刃との摩擦を低減するためスムーサーといわれる補助品を付設した剃刀があり、スムーサーの潤滑効果により剃毛時の摩擦を低減し、爽快なそり味を発揮しているが、解決すべき問題も残されている。例えば、剃刀刃の鈍化前にすべてのスムーサーが溶解してしまい、全使用期間を通して所定の潤滑機能を発揮しえないという欠点がある。この欠点を克服するため、スムーサーと皮膚面との全面的な接触を阻止する一方、開口から溶解したスムーサーを放出し、剃毛時の放出量を制限するものが提案されている（たとえば特表平１０−５０２８４５号など）。しかし、この場合、使用に伴いスムーサーの保有量が減少すると、剃毛に必要なスムーサーの所要量が安定して供給できないという欠点がある。またキャップ部材に設けられた回転自在なローラにより剃毛時の皮膚との摩擦を減少するものもあるが、ローラーは皮膚と剃刀刃との摩擦を直接に減少させるものではなく、スムーサーのような滑らかな潤滑効果は得られない。
【０００３】
【発明が解決しようとする課題】
本発明は、剃毛時に要求されるスムーサーの所要量を常に安定して皮膚面に供給し、剃刀刃の全使用期間を通して、スムーサーの潤滑機能を確実に発揮しうるスムーサー付剃刀の開発を目的とする。
【０００４】
【課題を解決するための手段】
この課題を解決するため、本発明にかかるスムーサー付剃刀は次の手段を採用する。
まず、剃毛時に通常、皮膚面に接触する表面に回転自在に配設された中空部を有するローラーと、前記中空部に貫通する前記ローラー周面に形成された複数の孔と、前記中空部に収容されたスムーサーとからなる。
【０００５】
ローラー自体はスムーサーのような潤滑機能をもたないが、回転しながら皮膚面に接触するローラーは皮膚面との摩擦を減少させる。剃毛時に皮膚面と接触する孔の存在は、通常、皮膚面との摩擦を増大させるが、ローラーは回転しながら皮膚面に接触するから、皮膚面との摩擦が小さくなる。スムーサーは剃毛時において皮膚面に付着した水液などと接触して溶解する。中空部に収容されたスムーサーは皮膚面との全面的な接触を阻止されるから、スムーサーの溶解量が制限される一方（溶解量の調整・コントロール）、溶解されたスムーサーはローラーの回転によりローラー周面の孔から皮膚面へスムーズに放出される。皮膚面には大小の凹凸面があり、溶解したスムーサーの供給が困難な箇所もあるが、ローラーの回転により、小さな凹面や深い凹面などにもスムーサーが供給される。なおローラーを設置する位置に限定はないが、通常は、刀体刃縁の後方に位置する剃刀本体の表面側の後部であって、剃刀本体の表面（皮膚との接触面）からローラーが突出している。
【０００６】
また、剃毛時に通常、皮膚面に接触する表面に回転自在に配設された中空部を有するローラーと、前記ローラー周面に散在して前記中空部に貫通する孔と、前記中空部に収容されたスムーサーとからなり、前記孔に進入する水液に接触する前記スムーサーは外周面から溶解する。
【０００７】
このようにローラーの内周面に当接し、あるいは若干の間隙をおいて中空部に収容されたスムーサーは、ローラー周面に散在する孔から進入する水液と接触し、外周面（例えば上下面、前後面など）から徐々に溶解される。スムーサーの一面のみが溶解される場合と異なり、剃毛に必要となる所要のスムーサー（溶解量）を安定して確保することができる。また単位面積あたり溶解量を小さく抑え、スムーサーは全体的にバランスよく溶解される。これによりスムーサーの溶解後にもスムーサーの表面（外周面）は比較的、ローラー周面の孔と近接した位置にあり、スムーサーは孔に進入する水液と接触して容易に溶解する一方、溶解されたスムーサーは孔から容易に放出される。なお、散在する孔の数、形状、位置などに制限はなく、複数の孔はスムーサーの一面のみが溶解しないように配置してあればよい。
【０００８】
また、波状の上・下縁を互いに接合して前記ローラーが形成してある。円筒形のローラーの上・下縁は隙間なく接合するのが理想であるが、上・下縁の接合部に隙間を生じたような場合、集合した多数のローラーを製造過程で移動したり、あるいは振動式パーツフィーダーで搬送する際などに、振動などが原因で一方のローラーが他のローラーの隙間に挟まれることがある。上・下縁が波状であるから隙間に深く食い込むことがなく、食い込んでも自然にあるいは容易に離別できる。
【０００９】
また、剃刀本体に対向して形成された一対の受部と、一対の前記受部の間に前記刃体の刃縁に並行して配置されたローラーと、前記受け部に対向する凸部とからなり、前記受部と前記凸部が前記ローラー周面にそれぞれ部分的に当接し、前記ローラーを回転自在に支持する。
【００１０】
受部と凸部はローラー周面にそれぞれ部分的に当接しており、両者が協同してローラーを回転自在に支持する軸受部を構成する。受部と凸部はローラー周面と全面的に当接していないから、ローラーの回転摩擦が低減する。また孔から放出されたスムーサーの溶解液がローラー周面（特にローラーの両端部付近）に付着しても、受部と凸部は、ローラー周面と全面的に当接していないから、ローラーの円滑な回転が阻害されることはない。
【００１１】
また、前記受部がローラーを上方位置で受ける一方、前記凸部がローラーを下方位置から支持している。
ローラーは剃毛時に皮膚面が接触する剃刀本体の表面（通常はキャップ部の表面）と平行な力を刃縁の前方から後方へと受けるから、受部がローラーをその上方位置で受ける一方、凸部により下方から支持し、安定した軸受部となる。
【００１２】
また、前記凸部の先端を面状、線状又は点状に形成し、ローラー周面と面状、線状又は点状に当接してローラーを支持する。
前記凸部の先端がローラー周面と面状、線状又は点状に当接し、これによりローラーの回転摩擦やローラーの安定度を調整する。面状な凸部の先端は平坦面の他に湾曲面（凸面あるいは凹面など）にすることがでる。なお前記凸部の大きさ、形状、位置や数に限定はない。
【００１３】
また、剃刀本体の表面側の後部において前側部と両側部で区画された長手方向の切欠部と、前記切欠部に配置された回転自在のローラーとからなり、前記ローラーと前記前側部との間にクリアランスを設ける一方、前記ローラーと近接して対向する前側部の角部又は隅部を面取りした。
【００１４】
ローラーと前側部との間のクリアランスを小さくし、回転するローラーは前側部と近接するのが望ましい。しかしクリアランスをあまり小さくすると、スムーサーの溶解液などがクリアランスに保留、固化してローラーの円滑な回転に支障をきたすことがある。ローラーと対向する前側部の角部又は隅部を面取りしたから、スムーサーの溶解液などがクリアランスに保留しない。面取りは平坦面のみでなく湾曲面であってもよい。なお切欠部の後方は解放されているから、このような溶解液の保留、固化は生じない。
【００１５】
【発明の実施の形態】
本発明の実施の形態を図面を参照して説明する。
剃刀は、柄部（図示せず）と刃体５を保持する剃刀本体１から構成されている。剃刀本体１は少なくとも刃体５を保持すればよく、図示の場合、キャップ部２と刃台部３に刃体５とスペーサー６が挟着されている。刃体５は３枚であるが２枚刃などでもよい。剃刀本体１には、剃毛時に、通常、皮膚面に接触して回転するローラー７が配設してある。図示の場合、ローラー７は、刃縁８の後方の、キャップ部２の表面側の後部に設けてある。ローラー７は内部に中空部１０を有し、ローラー７周面１１には中空部１０に貫通する複数の孔１２が形成してある。ローラー７は、例えば、厚さは０．２ｍｍ程度の金属（ステンレスなど）製の薄板１４に複数の孔１２をプレス抜きし、全体を丸めるとともに対向する上・下縁１３、１５を接合し、内径約２ｍｍの円筒形とした。上・下縁１３、１５は隙間を生じないように接合するのがよい。
【００１６】
接合される上・下縁１３、１５は波状とし、上・下縁に近接する波状部１６にも孔１２を形成し、波状部１６に配置された孔１２を含め、一定の間隔毎に斜めに交差する複数の孔１２がローラー周面１１に配置してある。孔１２はローラー周面１１のほぼ全体に均一に散在するのが望ましい。そして上・下縁１３、１５に近接する波状部１６にも孔を形成したから、接合部となる上・下縁１３、１５の間に若干の隙間を生じても、全体としてほぼ均一な状態で孔１２が配置される。
【００１７】
ローラーの両端部１７に孔が配置されていない。このように貫通する孔が存在しないから両端部１７は他の部分より強度が大きい。溶解したスムサーも両端部１７では放出されない。なおローラー７の長さ、太さ、材質、構造などに限定はなく、プラスチックス製のローラーでもよく、貫通孔の形成法もプレス抜きに限定されない。
【００１８】
ローラーの中空部１０にはスムーサー１９が収容される。スムーサー１９は水液に溶解して膨潤する性質のポリエチレンオキサイドやポリビニルポロリドンなど水溶性プラスチックスを固形状にしたものである。図示の場合、ローラー７の全長に亙り形成された中空部１０に円柱状のスムーサー１９が収容されている。なお、中空部１０の大きさ、形状、長さ、構造に制限はない。剃刀本体１を水液で濡らしたり、回転するローラー７が皮膚面に接触すると、スムーサー１９はローラー周面１１に散在する孔１２から進入する水液に触れて外周面２０から徐々に溶解する一方、溶解したスムーサーがローラー７の回転により孔１２から皮膚面へ放出される。
【００１９】
なお図１４に示されるローラー７は周面１１に半径方向の凹凸が形成してあり、深い凹面や凹凸面の連続する皮膚面にも溶解したスムーサーが確実に供給される。なお１２はローラー周面１１に形成された孔、２２、２２はキャップの両側部、２３は前側部である。
【００２０】
剃刀本体１に配設される回転自在のローラー７は、剃刀本体１の表面側の後端（図１ではキャップ部２の後端）に長手方向の切欠部２１を形成し、切欠部２１は後方を解放する一方、両側部２２と前側部２３により矩形状に区画されている。両側部２２には一対の凹陥した受部２５が設けてあり、受部２５はローラー周面１１と部分的に当接する、下方を解放した湾曲面２６を有する。また対向する受部２５、２５間に刃縁８と並行するローラー７を配置し、受部２５が上方位置でローラー（両端部１７）を受ける一方、受部２５と対向して設けられた凸部２７がローラー（両端部１７）を下方位置から支持している。図１では、受部２５はローラー７と上半分が接触するのみであり、凸部２７はローラー７の下端部と接触（但し面接触）するのみである。このように受部２５と凸部２７はそれぞれ部分的にローラー周面１１と当接するとともに協同してローラー７を回転自在に支持する軸受部を構成している。
なお図１５はローラー（両端部１７）がほぼ円錐形の凸部２７と点状に接触する状態を示し、また図１６はローラー（両端部１７）が凸部２７と周方向に線状に接触する状態を示す。
【００２１】
ローラー７は前方の前側部２３とクリアランスを設けて配置されるが、ローラー７と近接して対向する前側部２３の角部または隅部が面取り３０されている。これによりムーサー１９の溶解液などがクリアランス２９に保留することがない。ローラー７と対向する前側部２３の角部または隅部はローラー７と前側部２３との相対的な位置関係により異なり、一定ではない。図１示の場合は、ローラー７と対向する前側部２３の上端部の角部または隅部が面取り３０されている。
【００２２】
なお３１はキャップ部２の裏面に一体に形成され、刃体５、スペーサー６、刃台部３を貫通してこれらを接合するピン（４本）であり、３２は刃体の刃縁８を部分的に被覆するガード部、３３はキャップ部２の前部に設けられた案内部、３４はキャップ部２の裏面に設けられた係合突起、３６は刃体５を露出させる開口部である。
【００２３】
以上の剃刀は、剃刀本体１が柄部（図示せず）の先端部に取り替え自在に取着されるものであるが、剃刀本体１を柄部に固定したものでもよく、また一般に理容用剃刀といわれる長柄の剃刀であってもよい。本発明がカバーする剃刀本体は少なくとも刃体５を保持する構造のものであればよく、その種類を問わない。
【００２４】
【発明の効果】
このように、本発明によれば、回転自在に配設されたローラー内にスムーサーを収容するとともに、溶解したスムーサーをローラーの貫通孔から放出するものであり、剃毛時に要求されるスムーサーの所要量が常に安定して皮膚面に供給される。また、ローラーの円滑な回転を確保し、溶解したスムーサーが安定して皮膚面に供給される。これにより、剃刀刃の全使用期間を通して、スムーサーの潤滑機能が確実に発揮される。
【図面の簡単な説明】
【図１】本発明にかかるスムーサー付剃刀の剃刀本体の拡大断面図である。
【図２】本発明にかかるスムーサー付剃刀の剃刀本体の平面図である。
【図３】同剃刀本体の正面図である。
【図４】同剃刀本体の底面図である。
【図５】同剃刀本体を構成するキャップ部の平面図である。
【図６】同キャップ部の正面図である。
【図７】同キャップ部の裏面図である。
【図８】同キャップ部の背面図である。
【図９】図６の同キャップ部のＡ−Ａ線断面である。
【図１０】本発明にかかるスムーサー付剃刀の剃刀本体を構成する刃台部の正面図である。
【図１１】本発明にかかるスムーサー付剃刀のローラーの拡大平面図である（但し孔を一部省略）。
【図１２】同ローラーの側面図である
【図１３】同ローラーを形成する薄板の拡大平面図である（但し孔を一部省略）。
【図１４】本発明にかかるスムーサー付剃刀の他の剃刀本体の一部を破断した平面図である。
【図１５】本発明にかかるスムーサー付剃刀のローラーと凸部との点状接触状態を示す説明図である。
【図１６】同ローラーと凸部との線状接触状態を示する説明図である。
【符号の説明】
１    剃刀本体
２    キャップ部
３    刃台部
５    刃体
６    スペーサー
７    ローラー
８    刃縁
１０  中空部
１１  ローラー周面
１２  孔
１３、１５  上・下縁
１４  薄板
１６  波状部
１７  両端部
１９  スムーサー
２１  切欠部
２２  両側部
２３  前側部
２５  受部
２６  湾曲面
２７  凸部
２９  クリアランス
３０  面取り
３１  ピン
３２  ガード部
３３  案内部
３４  係合突起
３６  開口部
【図１】
0003991256.tif 000002
【図２】
0003991256.tif 000003
【図３】
0003991256.tif 000004
【図４】
0003991256.tif 000005
【図５】
0003991256.tif 000006
【図６】
0003991256.tif 000007
【図７】
0003991256.tif 000008
【図８】
0003991256.tif 000009
【図９】
0003991256.tif 000010
【図１０】
0003991256.tif 000011
【図１１】
0003991256.tif 000012
【図１２】
0003991256.tif 000013
【図１３】
0003991256.tif 000014
【図１４】
0003991256.tif 000015
【図１５】
0003991256.tif 000016
【図１６】
0003991256.tif 000017